(57)【要約】【課題】安全かつ迅速に情報の取得ができる情報取得装置を提供する。【解決手段】暗号化された情報を取得する第１取得手段と、認証を行ない、且つ、暗号化された情報を復号化するための復号化情報を取得する取得手段であり、前記第１取得手段より高い秘匿性を備えて復号化情報を取得する第２取得手段と、暗号化された情報を復号化情報で復号化する復号化手段と、を備えて情報取得装置を構成する。【選択図】  図１
2004220399.tif 000002
【特許請求の範囲】
【請求項１】
取得に際して認証が必要な情報を取得する情報取得装置であって、
暗号化された前記情報を取得する第１取得手段と、
前記認証を行ない、且つ、前記暗号化された情報を復号化するための復号化情報を取得する取得手段であり、前記第１取得手段より高い秘匿性を備えて前記復号化情報を取得する第２取得手段と、
前記暗号化された情報を前記復号化情報で復号化する復号化手段と、
を備えたことを特徴とする情報取得装置。
【請求項２】
請求項１に記載の情報取得装置において、
前記第１取得手段及び前記第２取得手段は通信によりそれぞれ前記情報及び前記復号化情報を取得し、
前記第１取得手段の通信速度は前記第２取得手段の通信速度より大きいことを特徴とする情報取得装置。
【請求項３】
請求項１に記載の情報取得装置において、
前記第１取得手段及び前記第２取得手段は通信によりそれぞれ前記情報及び前記復号化情報を取得し、
前記第１取得手段の通信コストは前記第２取得手段の通信コストより小さいことを特徴とする情報取得装置。
【請求項４】
請求項１乃至３の何れか一項に記載の情報取得装置において、
前記第１取得手段及び前記第２取得手段は無線により通信を行なうことを特徴とする情報取得装置。
【請求項５】
第１取得手段と、該第１取得手段より高い秘匿性を備えて復号化情報を取得する第２取得手段と、により、取得に際して認証が必要な情報を取得する情報取得方法であって、
前記第２取得手段により認証を行なう認証工程と、
前記第１取得手段により暗号化された前記情報を取得する情報取得工程と、
前記第２取得手段により前記暗号化された情報を復号化するための前記復号化情報を取得する復号化情報取得工程と、
前記暗号化された情報を前記復号化情報で復号化する復号化工程と、
を備えたことを特徴とする情報取得方法。
【請求項６】
第１取得手段と、該第１取得手段より高い秘匿性を備えて復号化情報を取得する第２取得手段と、により、取得に際して認証が必要な情報を取得する情報取得装置に含まれるコンピュータを、
暗号化された前記情報を取得する第１取得手段と、
前記認証を行ない、且つ、前記暗号化された情報を復号化するための前記復号化情報を取得する取得手段であり、前記第１取得手段より高い秘匿性を備えて前記復号化情報を取得する第２取得手段と、
前記暗号化された情報を前記復号化情報で復号化する復号化手段と、
して機能させることを特徴とするコンピュータプログラム。
【請求項７】
請求項６に記載のコンピュータプログラムが前記コンピュータで読取可能に記録されていることを特徴とする情報記録媒体。
【発明の詳細な説明】
【０００１】
【発明の属する技術分野】
本発明は、情報取得装置、情報取得方法、情報取得プログラム及びそれを記録した情報記憶媒体に関するものである。
【０００２】
【従来の技術】
近年、ネットワークを介して情報を取得することが一般に行なわれている。例えば、携帯電話、ＰＨＳ（ｐｅｒｓｏｎａｌ  ｈａｎｄｙｐｈｏｎｅ  ｓｙｓｔｅｍ）などの携帯電話サービスを利用してインターネットに接続し、情報を提供するサーバ装置から情報を取得することが行なわれている。
【０００３】
具体例として、車両に搭載されたナビゲーション装置では、目的地の天気情報、車両位置にリンクしたテレビ番組表、目的施設の施設情報、目的地周辺の詳細な地図データなどの情報を必要時に取得することがあるが、この場合、ナビゲーション装置に接続した携帯電話機（ＰＨＳ端末を含む。以下において同じ。）を通じてインターネット上のサーバ装置にアクセスし、該サーバ装置から必要な情報を取得することが行なわれている。
【０００４】
しかし、携帯電話サービスではデータ通信速度が、例えば１４４ｋｂｐｓであり、特に画像データを含む情報などを取得する場合には、通信に多大な時間を必要として、また、通信料も膨大となってしまう。
【０００５】
また、近年、公衆エリア無線ＬＡＮ（ｌｏｃａｌ  ａｒｅａ  ｎｅｔｗｏｒｋ）サービスが普及しつつある。このサービスは、喫茶店やレストラン、空港、駅、ホテルなどに無線ネットワークを設置して、インターネットが利用できるようにしたものである。この公衆エリア無線ＬＡＮサービスは、ＩＥＥＥ  ８０２．１１ｂやＢｌｕｅｔｏｏｔｈなどの無線ネットワーク技術を利用している。例えば、ＩＥＥＥ  ８０２．１１ｂを利用した場合では、データ通信速度は最大１１Ｍｂｐｓと、上述した携帯電話サービスを利用した場合に比べて非常に高速の通信が可能となっている。
【０００６】
【発明が解決しようとする課題】
しかしながら、公衆エリア無線ＬＡＮでは、多くのユーザにネットワークのコネクションを提供することになるため、盗聴やなりすましなど不正利用が行なわれる可能性があり、秘匿性（セキュリティ）の点で問題となる。
【０００７】
本発明は、このような問題点に鑑みて為されたもので、その課題の一例は、例えば、ネットワークを介して情報を取得する場合に、安全かつ迅速に情報の取得ができる情報取得装置を提供することにある。
【０００８】
【課題を解決するための手段】
上記の課題を解決するために、請求項１に記載の発明は、取得に際して認証が必要な情報を取得する情報取得装置であって、暗号化された前記情報を取得する第１取得手段と、認証を行ない、且つ、暗号化された情報を復号化するための復号化情報を取得する取得手段であり、第１取得手段より高い秘匿性を備えて復号化情報を取得する第２取得手段と、暗号化された情報を復号化情報で復号化する復号化手段と、を備えて情報取得装置を構成する。
【０００９】
また、上記課題を解決するために、請求項５に記載の発明は、第１取得手段と、該第１取得手段より高い秘匿性を備えて復号化情報を取得する第２取得手段と、により、取得に際して認証が必要な情報を取得する情報取得方法であって、第２取得手段により認証を行なう認証工程と、第１取得手段により暗号化された情報を取得する情報取得工程と、第２取得手段により暗号化された情報を復号化するための復号化情報を取得する復号化情報取得工程と、暗号化された情報を復号化情報で復号化する復号化工程と、を備える。
【００１０】
また、上記課題を解決するために、請求項６に記載の発明は、第１取得手段と、該第１取得手段より高い秘匿性を備えて復号化情報を取得する第２取得手段と、により、取得に際して認証が必要な情報を取得する情報取得装置に含まれるコンピュータを、暗号化された情報を取得する第１取得手段と、認証を行ない、且つ、暗号化された情報を復号化するための復号化情報を取得する取得手段であり、第１取得手段より高い秘匿性を備えて復号化情報を取得する第２取得手段と、暗号化された情報を復号化情報で復号化する復号化手段と、して機能させる。
【００１１】
更に、上記課題を解決するために、請求項７に記載の発明は、請求項６に記載のコンピュータプログラムをコンピュータで読取可能に記録して情報記録媒体を構成する。
【００１２】
【発明の実施の形態】
本願に好適な実施の形態について、図面に基づいて説明する。
【００１３】
なお、以下に説明する実施の形態は、ナビゲーション装置がネットワークを介して接続されたサーバ装置から地図データを取得する場合の実施の形態である。
【００１４】
１．情報取得システム
先ず、ナビゲーション装置において該ナビゲーション装置とネットワークを介して接続されたサーバ装置から地図データを取得する情報取得システムについて、図１を用いて説明する。ここで、図１は情報取得システムの全体の概略を示すブロック図である。
【００１５】
図１に示すように、情報取得システムＳは、ナビゲーション装置１と、サーバ装置２と、公衆エリア無線ＬＡＮ網３と、無線ＬＡＮアダプタ４と、携帯電話網５と、携帯電話機６と、インターネット網７と、を主に含んで構成される。
【００１６】
ここで、無線ＬＡＮアダプタ４と携帯電話機６とを接続したナビゲーション装置１が情報取得装置として機能する。そして、無線ＬＡＮアダプタ４が第１取得手段として機能し、また携帯電話機６が第２取得手段として機能する。
【００１７】
ナビゲーション装置１は、無線ＬＡＮアダプタ４及び携帯電話端末６を接続可能であり、接続した無線ＬＡＮアダプタ４及び携帯電話端末６を用いて、２種類の通信方法によりサーバ装置２にアクセスが可能である。第１の通信方法は、無線ＬＡＮアダプタ４を用いて公衆エリア無線網３を介してインターネット網７に接続し、インターネット網７に接続されたサーバ装置２にアクセスする通信方法である。また、第２の通信方法は、携帯電話端末６を用いて携帯電話網５を介してインターネット網７に接続し、インターネット網７に接続されたサーバ装置２にアクセスする通信方法である。
【００１８】
サーバ装置２は、ナビゲーション装置に提供する地図データを備えており、該地図データを暗号化した状態でナビゲーション装置１に提供する。この地図データの暗号化は、地図データを蓄積する段階で行なってもよいし、ナビゲーション装置に提供する直前に行なってもよい。
【００１９】
また、サーバ装置２は、暗号化された地図データを復号化する復号化情報としての復号鍵をナビゲーション装置１に提供する。
【００２０】
さらに、サーバ装置２は、ナビゲーション装置１を用いて地図データを取得しようとするユーザの認証を行なう。例えば、地図データの提供を受けるユーザがサーバ装置２においてユーザ登録を行なう際に、サーバ装置２は識別ＩＤ及びパスワード等の認証情報を発行する。そして、ナビゲーション装置１から認証を行なうために認証情報が送信された場合に、サーバ装置２は該認証情報が正規（登録した内容と同一）のものか否かを判断して、正規のものと判断した場合に該ユーザを認証する。
【００２１】
公衆エリア無線ＬＡＮ網３は、無線ＬＡＮを用いてインターネット網に接続するためのもので、例えば、ホットスポットサービス網等である。そして、公衆エリア無線ＬＡＮ網３は、１又は複数のアクセスポイントを備えている。
【００２２】
無線ＬＡＮアダプタ４は、アクセスポイントとの無線通信により公衆エリア無線ＬＡＮ網３に接続する。なお、アクセスポイントと無線ＬＡＮアダプタ間の通信速度は、例えばＩＥＥＥ  ８０２．１１ｂ規格では約１１Ｍｂｐｓ、ＩＥＥＥ  ８０２．１１ａ規格では３６〜５４Ｍｂｐｓであり、高速な通信が可能である。また、通信料金は、通常、定額課金方式（使い放題で一定料金を課金する方式）を採用しており、携帯電話機６による通信より低コストとなっている。
【００２３】
携帯電話網５は、複数の基地局と当該基地局を接続する有線電話網とを備えて構成される。基地局は携帯電話機６と間で無線通信を行ない、一つの基地局は１００ｍ〜数ｋｍの範囲をカバーする。
【００２４】
携帯電話機６は、基地局との無線通信により携帯電話網５に接続する。携帯電話機６、例えば、狭義の携帯電話機やＰＨＳ端末であり、液晶及びキーボタンを備えた一般的なものの他、ＰＣカード型のものであってもよい。なお、基地局と携帯電話機６の間の通信速度は、例えば、１４４ｋｂｐｓ程度であり、また、一般にパケット単位などで通信料金を課金する従量課金方式がとられる。
【００２５】
２．ナビゲーション装置
次に、本実施形態にかかる第１のナビゲーション装置について、図２を用いて説明する。
【００２６】
Ａ．ナビゲーション装置の構成
図２は、ナビゲーション装置１の全体構成を示すブロック図である。図２に示すナビゲーション装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、ＤＶＤ−ＲＯＭ（Ｄｉｇｉｔａｌ  Ｖｅｒｓａｔｉｌｅ  Ｄｉｓｃ−Ｒｅａｄ  Ｏｎｌｙ  Ｍｅｍｏｒｙ）ドライブ１４と、ハードディスク１５と、センサ部１６と、ＧＰＳ（Ｇｌｏｂａｌ  Ｐｏｓｉｔｉｏｎｉｎｇ  Ｓｙｓｔｅｍ）受信部１７と、インターフェース１８と、入力装置１９と、ディスプレイ２０と、表示制御部２１と、バッファメモリ２２と、音声処理回路２３と、スピーカ２４と、通信インターフェース２５と、バス２６と、を備えて構成されている。
【００２７】
図２においてＣＰＵ１１は、ナビゲーション装置１全体の動作を制御する。ＣＰＵ１１は、ナビゲーション装置１の各構成要素とバス２６を介して接続され、ＲＯＭ１２に格納される制御プログラムを読み出して実行し、ＲＡＭ１３に処理中のデータを一時的に保持する。なお、ＲＯＭ１２に格納される制御プログラムには、ＣＰＵ１１を本発明の第１取得手段、第２取得手段及び復号化手段として機能させるプログラムが含まれる。そして、ＣＰＵ１１は当該プログラムを読出して実行し、第１取得手段、第２取得手段及び復号化手段の全部又は一部として機能する。
【００２８】
ＤＶＤ−ＲＯＭドライブ１４は、地図データを記憶するＤＶＤ−ＲＯＭから地図データの読み出し動作を行なう。
【００２９】
ハードディスク１５は、地図データ等の読み出しや書き込みを行なう不揮発性の記憶装置である。サーバ装置２から取得した地図データは、ハードディスク１５に記憶される。
【００３０】
センサ部１６は、自車位置を検出するために必要な各種センサを含んで構成されている。具体的には、車両の走行状態を検出するための車速センサ、走行距離センサ、方位センサなどを含んでいる。
【００３１】
ＧＰＳ受信部１７は、ＧＰＳ衛星からの電波を受信し、測位データを出力する。センサ部１６からのセンサ出力とＧＰＳ受信部１７からの測位データに基づいて、ＣＰＵ１１が総合的に走行車両の自車位置を検出する。
【００３２】
インターフェース１８は、センサ部１６及びＧＰＳ受信部１７とＣＰＵ１１との間のインターフェース動作を行ない、ＣＰＵ１１により、センサ部１６からのセンサ出力とＧＰＳ受信部１７からの測位データに基づいて、自車位置データが求められる。この自車位置データは、ＣＰＵ１１により前述の地図データと照合されて、マップマッチング処理等を用いて補正される。
【００３３】
入力装置１９は、ナビゲーションシステム本体に設けられたキー部、あるいはキー部を備えるリモコンなどからなり、ナビゲーション動作における所望の操作を行なうため、キー入力に応じた信号をＣＰＵ１１に供給する。
【００３４】
ディスプレイ２０は、ナビゲーション動作に用いる表示手段であり、例えばＣＲＴ、液晶表示素子などから構成される。ディスプレイ２０には、表示制御部２１の制御に従って地図データが種々の態様で表示されると共に、これに重畳して自車位置がカーマークとして表示される。さらに、本実施形態においては、ディスプレイ２０には、サーバ装置２から取得した情報が必要時に表示される。
【００３５】
表示制御部２１は、ディスプレイ２０に表示する表示データを生成し、バッファメモリ２２に一時的に保存しつつ、適宜のタイミングでバッファメモリ２２から表示データを読み出してディスプレイ２０に表示出力する。
【００３６】
音声処理回路２３は、ＣＰＵ１１の制御の下、所定の音声信号を発生する。音声処理回路２３において適切なレベルに増幅された音声信号は、スピーカ２４から外部出力される。このような音声信号としては、例えば、車両の経路を誘導するための案内音声などがある。
【００３７】
通信インターフェース２５は、無線ＬＡＮアダプタ４及び携帯電話機６とＣＰＵ１１との間のインターフェース動作を行なう。なお、ナビゲーション装置１と無線ＬＡＮアダプタ４及び携帯電話機６は、ケーブル等を用いて有線により接続してもよいし、赤外線等を用いて無線により接続してもよい。
【００３８】
Ｂ．地図データ取得方法
次に、無線ＬＡＮアダプタ４及び携帯電話機６を接続したナビゲーション装置１が、サーバ装置２から地図データを取得する方法について、図３を用いて説明する。ここで、図３は、地図データ取得の処理手順を示すフローチャートである。
【００３９】
先ず、図３における処理に先立って、ナビゲーション装置１の通信インターフェース２５に携帯電話機６及び無線ＬＡＮアダプタ４を接続し、各装置の電源をＯＮにする。そして、ナビゲーション装置１の入力装置１９から情報取得処理を開始する旨の入力を行ない、図３における情報取得処理を開始する。
【００４０】
図３における処理が開始されると、ナビゲーション装置１は、公衆エリア無線ＬＡＮ網３への接続が可能か否かを判断する（スッテプＳ１）。すなわち、ＣＰＵ１１が無線ＬＡＮアダプタ４とアクセスポイントとの接続状態を認識し、無線ＬＡＮアダプタ４が接続状態にあると認識したときは公衆エリア無線ＬＡＮ網３への接続は可能であると判断し、一方、無線ＬＡＮアダプタ４が接続状態にないと認識したときはは公衆エリア無線ＬＡＮ網３への接続は不可であると判断する。そして、スッテプＳ１において、前者の判断をした場合（ステップＳ１：Ｙｅｓ）はスッテプＳ２に進み、後者の判断をした場合（ステップＳ１：Ｎｏ）は当該情報取得処理を終了する。なお、後者の判断をした場合（ステップＳ１：Ｎｏ）にステップＳ１を繰り返すようにしてもよい。
【００４１】
次に、ナビゲーション装置１は、携帯電話機６が使用可能か否かを判断する（ステップＳ２）。すなわち、ＣＰＵ１１は携帯電話機６が通話可能であるか否かを判断する。そして、ステップＳ２において、携帯電話機６が使用可能であると判断した場合（ステップＳ２：Ｙｅｓ）はステップＳ３に進み、使用不可能と判断した場合（ステップＳ２：Ｎｏ）は当該情報取得処理を終了する。なお、使用不可能と判断した場合（ステップＳ２：Ｎｏ）はステップＳ２を繰り返すようにしてもよい。
【００４２】
次に、ナビゲーション装置１は、携帯電話網５を用いてユーザ認証を行なう（ステップＳ３）。すなわち、ＣＰＵ１１は、例えば、予め特定されたＵＲＬに基づいて、携帯電話網５及びインターネット網７を介してサーバ装置２にサクセスする。そして、サーバ装置２は、ナビゲーション装置１に対して認証情報（例えば、認証ＩＤ及びパスワード）の送信を促す旨を指示し、ＣＰＵ１１は該指示に基づいて「認証情報を入力してください」などの認証情報の入力を促す旨をディスプレイ２０に表示させる。次いで、ＣＰＵ１１は該表示に基づいて入力装置１９から入力された認証情報を携帯電話網５及びインターネット網７を介してサーバ装置２に送信する。認証情報を取得したサーバ装置２は、該認証情報が正規なものであるか否かを判断し、正規なものであると判断した場合はユーザを認証する。このように、ユーザの認証が為された場合は、ステップＳ４に進む。また、ユーザの認証が為されなかった場合（サーバ装置２が認証情報を正規のもので無いと判断した場合）は、情報取得処理を終了する。なお、すぐに情報情報処理を終了するのではなく、「認証情報が誤っています。正しい認証情報を入力してください」などのメッセージを表示して正規の認証情報の再度の入力を促してもよい。
【００４３】
なお、ナビゲーション装置１は、上述したように、認証情報をその都度入力装置１９から入力させるようにしてもよいが、認証情報をハードディスク１５等に記憶しておき、そこから認証情報を呼び出してサーバ装置２に送信するようにしてもよい。
【００４４】
また、携帯電話機６の記憶装置に認証情報を記憶させておき、ＣＰＵ１１が携帯電話機６の記憶装置に記憶された認証情報をサーバ装置２に送信させるようにしてもよい。このように携帯電話機６に認証情報を記憶させるようにすることにより、ナビゲーション装置１を買い換えた様な場合であっても、同じ携帯電話機６を使用する限り認証を容易に行なうことが可能となり、またナビゲーション装置１を搭載した車等が盗難にあった場合でも認証情報が盗用されることがない。
【００４５】
次に、ナビゲーション装置１は、取得を希望する地図データを特定し、該地図データの取得に対する課金に同意するかを確認する（ステップＳ４）。地図データを特定するには、例えば、サーバ装置２から提供可能な地図データの一覧情報を取得して、この一覧情報の中から取得を希望する地図データを選択させるようにすればよい。また、入力装置１９から直接入力させて地図データを特定させてもよい。
【００４６】
また、課金についての同意の確認は、例えば、地図データを特定する度に同意の確認を行なってもよいし、取得を希望するすべての地図データを特定させた後にまとめて同意の確認を行なってもよい。
【００４７】
ステップＳ４において、取得希望情報の特定及び課金の同意が得られた場合（スッテプＳ４：Ｙｅｓ）はステップＳ５に進み、課金の同意が得られなかった場合（ステップＳ４：Ｎｏ）は情報取得処理を終了する。なお、取得希望の地図データが特定されない場合や課金の同意が得られない場合は、再度、地図データの特定を促したり、課金の同意を求めたりしてもよい。
【００４８】
次に、ナビゲーション装置１は、携帯電話網５を介してサーバ装置２から地図データ取得のための接続情報を取得する（ステップＳ５）。この接続情報は、ナビゲーション装置１が、公衆エリア無線ＬＡＮ網３を介してサーバ装置２に接続するための情報であり、具体的には、例えば、サーバ装置２のＵＲＬ及び接続パスワードである。
【００４９】
次に、ナビゲーション装置１は、公衆エリア無線ＬＡＮ網３を介して、上記接続情報に基づいてサーバ装置２に接続する（ステップＳ６）。次いで、ナビゲーション装置１は、公衆エリア無線ＬＡＮ網３を介して、サーバ装置２から暗号化された地図データを取得する（ステップＳ７）。
【００５０】
ここで、ナビゲーション装置１が取得する地図データの暗号化は、サーバ装置２において行なわれる。具体的には、上述したように、サーバ装置２は、暗号化された地図データを蓄積しておき、その中からステップＳ４で特定された地図データを選び出してナビゲーション装置１に送信してもよいし、また、サーバ装置２は、暗号化されていない状態で情報を蓄積しておき、ステップＳ４で特定された地図データを選び出して暗号化の処理を行なった後にナビゲーション装置１に送信してもよい。
【００５１】
次に、ナビゲーション装置１は、携帯電話網５を介して、上記暗号化された情報を復号化するための復号鍵を取得する（ステップＳ８）。すなわち、ナビゲーション装置１は、ステップＳ８で取得した暗号化された地図データに対応する復号鍵を、携帯電話網５を介してサーバ装置２から取得する。
【００５２】
次に、ナビゲーション装置１は、ステップＳ７で取得した暗号化された地図データを、ステップＳ８で取得した復号鍵を用いて復号化する（ステップＳ９）。すなわち、ＣＰＵ１１は、暗号化された地図データを復号鍵で復号化して、地図データを読取可能な状態にする。その後、復号化された地図データは、ハードディスク１５に記憶され、必要時にＣＰＵ１１によって読み出されてディスプレイ２０に表示される。
【００５３】
最後に、ナビゲーション装置１は、サーバ装置２に対して情報の取得処理が完了したことを報告する（ステップＳ１０）。そして、サーバ装置２は、情報提供に対する課金の処理を行なう。課金の方法として、例えば、ステップＳ４において課金の同意を得る際にクレジットカード番号を入力させるようにして、１回の情報取得処理毎に該クレジットカードから引き落としをするようにしてもよいし、また、一ヶ月単位等で携帯電話機６の利用料支払い口座から引き落とすようにしてもよい。
【００５４】
以上説明したように、本実施形態によれば、ナビゲーション装置１は、通信性に優れており（通信速度が速い）、また通信コストが低いという特性を有する公衆エリア無線ＬＡＮ網３を用いて暗号化された地図データを取得し、一方、秘匿性に優れているという特性を有する携帯電話網５を用いて復号鍵を取得するため、迅速且つ安全に地図データを取得することができる。すなわち、公衆エリア無線ＬＡＮ網３の優れた通信性と低コスト性を利用して暗号化された地図データを取得するので、情報の容量が大きい場合でも迅速な取得が可能となり、また、通信コストも低減できる。また、携帯電話網５の優れた秘匿性を利用して認証を行ない、また復号鍵を取得するので、安全な取得が可能となる。
【００５５】
また、本実施形態に係るナビゲーション装置１を開発する際に、開発者はセキュリティ（秘匿性）確保のための仕組みの大部分を携帯電話機６に委ねることが可能であり、開発負荷を低減することが可能となる。
【００５６】
３．他の実施形態
なお、上記実施形態においては、ナビゲーション装置１が情報を取得する場合を説明したが、情報取得装置はナビゲーション装置に限られることはなく、例えば、音楽情報を取得するオーディオ装置等であってもよい。
【００５７】
また、上記実施形態においては、サーバ装置２から地図データを取得する場合を説明したが、取得する情報は地図データに限られることはなく、例えば、音楽再生に用いる音楽情報や動画再生に用いる動画情報等であってもよい。
【００５８】
また、上記実施形態においては、インターネット網７に接続されたサーバ装置２にアクセスする場合を説明したが、この場合に限られず、例えば、公衆エリア無線ＬＡＮ網３及び携帯電話網５が直接サーバ装置に接続されていてもよく、また、一方はインターネット網７を介して、他方は直接サーバ装置２にアクセスするようにしてもよい。また、サーバ装置２は複数の装置で構成されていてもよい。例えば、認証処理と情報提供処理とを異なる装置で行なってもよい。
【００５９】
また、上記実施形態においては、通信速度が大きく、また、通信コストの小さい取得手段として無線ＬＡＮアダプタを、秘匿性の高い取得手段として携帯電話機を用いる場合を説明したが、これに限定されない。
【図面の簡単な説明】
【図１】実施形態に係る情報取得システムの全体の概略を示すブロック図である。
【図２】実施形態に係るナビゲーション装置の全体構成を示すブロック図である。
【図３】実施形態に係る地図データ取得の処理手順を示すフローチャートである。
【符号の説明】
１  ナビゲーション装置
２  サーバ装置
３  公衆エリア無線ＬＡＮ網
４  無線ＬＡＮアダプタ
５  携帯電話網
６  携帯電話機
７  インターネット網
【図１】
2004220399.tif 000003
【図２】
2004220399.tif 000004
【図３】
2004220399.tif 000005